(57)【要約】【課題】混雑した発券売場などでの取り扱い性に優れ、長期間にわたる携行が可能な紙めくり補助具を提供する。【解決手段】手指や腕などに巻き回されて固定されるバンド装着部１１と、バンド装着部１１の中央にその椀状下部が取り付けられる軟質材からなるケース部１２と、ケース部１２の表面側に露出配置されるスポンジやファイバーなどからなる指濡らし用成分を保持する保湿部１３とを備えるように紙めくり補助具１０を構成する。【選択図】図１
0003164943.tif 000002
【実用新案登録請求の範囲】
【請求項１】
手指や腕などに巻き回されて固定されるバンド装着部と、前記バンド装着部の中央にその椀状下部が取り付けられる軟質材からなるケース部と、前記ケース部の表面側に露出配置されるスポンジやファイバーなどからなる指濡らし用成分を保持する保湿部とを備えたことを特徴とする紙めくり補助具。
【請求項２】
前記ケース部と前記保湿部との間に指濡らし用成分を貯留するタンク部が設けられ、前記タンク部と前記保湿部が連通孔を介して連結され、前記ケース部の弾性変形により前記タンク部が圧縮され前記タンク部から前記連通孔を通して指濡らし用成分が前記保湿部に供給されることを特徴とする請求項１記載の紙めくり補助具。
【請求項３】
前記保湿部からの指濡らし用成分の揮発を防止するキャップ部を前記ケース部の前面に開閉可能に設けたことを特徴とする請求項１又は２記載の紙めくり補助具。
【請求項４】
前記指濡らし用成分が、滑り止めとして機能するペースト状やゼリー状の不揮発性樹脂であることを特徴とする請求項１に記載の紙めくり補助具。
【考案の詳細な説明】
【技術分野】
【０００１】
本考案は、外出先などで、薄手の入場券やチケット、紙幣、パンフレット、本のページめくり、ポリ袋の開封などを、一枚ずつ指先でつかんで取り扱う際に、その指先表面を滑り難くして、チケットの取出しやページめくり、ポリ袋の開封などを容易にするための紙めくり補助具に関する。
【背景技術】
【０００２】
従来、レース場の券売場などにおいて、投票用紙であるマークシート票は、１枚１枚取り出すのが面倒であった。ましてマークシート票は室外に置かれているため、指先をなめたりすることが多く不衛生でもある。
また、スーパーマーケットなどでも荷物台に濡れぞうきんが用意されており、それで指先をぬらしてポリ袋の開封を行うことが多い。
さらに、図書館などで本や新聞を閲覧する場合において、ページめくりの際に指先をなめたりすることが多く、これも不衛生である。
このため、場外馬券場などの外出先へ携行可能な指濡らし具が提案されている。
例えば特許文献１（特開２００３−９５２７４号公報）には、前面に指穴を設けた収納体の内部にスポンジを入れ、収納体ウラ面に差込みクリップを設け、収納体前面下部に折返し可能なフタを設け、収納体に折り返したフタを着脱可能に固定する固定部材を設けたポケット指濡し具が開示されている。
【先行技術文献】
【特許文献】
【０００３】
【特許文献１】特開２００３−９５２７４号公報
【考案の概要】
【考案が解決しようとする課題】
【０００４】
しかしながら、胸ポケットなどにそのクリップが装着されて用いられる前記従来の紙めくり補助具は、その使用の都度、フタを取り外して使用しなければならず、発券売場などでの環境下で迅速な取り扱いに支障をきたすことがあった。また、スポンジなどに吸着した水分が体温で乾燥したり、水分が漏れ出たりしてしまい長期間の携行がしにくいという問題点もあった。
本考案は前記従来の課題を解決するためになされたもので、混雑した発券売場などでの取り扱い性に優れ、長期間にわたる携行が可能な紙めくり補助具を提供することを目的とする。
【課題を解決するための手段】
【０００５】
（１）本考案の紙めくり補助具は、手指や腕などに巻き回されて固定されるバンド装着部と、前記バンド装着部の中央にその椀状下部が取り付けられる軟質材からなるケース部と、前記ケース部の表面側に露出配置されるスポンジやファイバーなどからなる指濡らし用成分を保持する保湿部とを備えていることを特徴とする。
【０００６】
（２）本考案の紙めくり補助具は、前記（１）において、前記ケース部と前記保湿部との間に指濡らし用成分を貯留するタンク部が設けられ、前記タンク部と前記保湿部が連通孔を介して連結され、前記ケース部の弾性変形により前記タンク部が圧縮され前記タンク部から前記連通孔を通して指濡らし用成分が前記保湿部に供給されるように構成されていることを特徴とする。
【０００７】
（３）本考案の紙めくり補助具は、前記（１）又は（２）において、前記保湿部からの指濡らし用成分の揮発を防止するキャップ部を前記ケース部の前面に開閉可能に設けられていることを特徴とする。
【０００８】
（４）本考案の紙めくり補助具は、前記（１）において、前記指濡らし用成分が滑り止めとして機能するペースト状やゼリー状の不揮発性樹脂とすることを特徴とする。
【考案の効果】
【０００９】
本考案によれば、手指や腕などに巻き回されるバンド装着部にその椀状下部が取り付けられる軟質材からなるケース部と、前記ケース部の表面側に露出配置され指濡らし用成分を保持する保湿部とを備えるので、混雑した発券売場などでの取り扱いが容易であり、長期間にわたり使用できる携行性に優れた紙めくり補助具を提供できる。
【図面の簡単な説明】
【００１０】
【図１】実施例１の紙めくり補助具の斜視図である。
【図２】実施例１の紙めくり補助具の正面断面図である。
【図３】実施例２の紙めくり補助具の斜視図である。
【図４】実施例２の紙めくり補助具の正面断面図である。
【図５】実施例３の紙めくり補助具の正面断面図である。
【考案を実施するための形態】
【００１１】
本実施形態に係る紙めくり補助具は、手指や腕などに巻き回されて固定されるバンド装着部と、前記バンド装着部の中央にその椀状下部が取り付けられる軟質材からなるケース部と、前記ケース部の表面側に露出配置されるスポンジやファイバーなどからなる指濡らし用成分を保持する保湿部とを備えている。これによって、人混みの中でも簡単に身に付けて持ち運びができて、汚れた指先をなめること紙めくりやポリ袋開封操作を迅速かつ衛生的に行うことができる。
【００１２】
バンド装着部は、プラスチック材や、アルミ金属材、布材などで帯状やリング状に形成されて、指や腕に装着される部材である。なお、バンド装着部を帯状に形成した場合は、この帯状部分を指や腕に巻き回した後、その帯状の両基端部分を互いに重ねてひねることで指や腕に簡単かつ容易に固定することができる。
【００１３】
ケース部は、例えば、ポリエチレンやポリスチレン等の比較的軟質のプラスチック材からなる。ケース部は、バンド装着部の中央にその椀状下部が取り付けられ、正面視してその全体が円形状、矩形状、三角形状などに形成されて保湿部の台座となる部分であり、既存の指輪や腕輪などからなるバンド装着部の中央に面状ファスナなどを介して着脱自在に配置ことも可能である。
【００１４】
保湿部は、指濡らし用成分となる水や、滑り止め機能を有するクリームやペースト状樹脂などを保持する部分であり、例えば、スポンジ、海綿、ファイバー、脱脂綿などを素材としてシート状に形成されている。
なお、指濡らし用成分となる水や滑り止め機能を有するクリームやペースト状樹脂などには、保持する水やクリームやペースト状樹脂などを清浄に保つための殺菌成分や抗菌成分、芳香成分、揮発防止成分などを必要に応じて含有させることができる。
【００１５】
本実施形態に係る紙めくり補助具は、前記ケース部と前記保湿部との間に指濡らし用成分を貯留するタンク部が設けられ、前記タンク部と前記保湿部が連通孔を介して連結され、前記ケース部の弾性変形により前記タンク部が圧縮され前記タンク部から前記連通孔を通して指濡らし用成分が前記保湿部に供給されるように構成することもできる。
これによって、携行時には指濡らし用成分をタンク部に貯留させることで指濡らし成分の蒸発を防止するとともに、使用時には指濡らし用成分を保湿部に吸収させることで屋外などでの紙めくり処理を迅速かつ確実に行うことができる。
【００１６】
タンク部は、ポリエチレンなどのプラスチック材により円板容器状や矩形板容器状に形成されたケース部の一部であり、ケース部を押圧したり、ひねるように変形させたりすることで、タンク内に貯留された指濡らし用成分がいつでも必要に応じて貫通孔から保湿部に供給されるようになっている。
【００１７】
本実施形態に係る紙めくり補助具は、前記保湿部からの指濡らし用成分の揮発を防止するキャップ部を前記ケース部の前面に開閉可能に設けることもできる。これによって、指濡らし用成分が保湿部から揮発するのを防止して、その見た目のデザイン性を良好にするとともに紙めくり補助具の携行をさらに容易にすることができる。
【００１８】
本実施形態に係る紙めくり補助具は、前記指濡らし用成分が滑り止めとして機能するペースト状やゼリー状の不揮発性樹脂とすることもできる。これによって、紙めくり補助具を長期にわたって携行使用できるとともに、抗菌成分や芳香成分を樹脂分に含有させることで機能性をさらに高めることも可能となる。
【実施例１】
【００１９】
以下、図面を参照して本実施例の紙めくり補助具についてさらに具体的に説明する。
図１は実施例１の紙めくり補助具の斜視図であり、図２はその一部拡大正面断面図である。
図示するように、実施例１の紙めくり補助具１０は、手指や腕などに固定される金属芯材などが入れられた樹脂製のバンド装着部１１と、バンド装着部の中央にその椀状下部が取り付けられるポリエチレン樹脂製のケース部１２と、ケース部の表面側に露出配置されるスポンジシートやファイバーシートなどからなる保湿部１３とを備えている。
【００２０】
バンド装着部１１は幅が約５〜２０ｍｍの帯状プラスチックバンドであって、その両端側の部分を重ね合わせるようにしてひねったり結びつけたりすることで、指の太さに合わせて調節することができるようになっている。
ファイバーシートの一例としてのガーゼよりなるシート状の保湿部１３には、指濡らし用成分となる芳香成分などを含む水などが含浸されており、常時使用可能に保持されている。
紙めくり補助具１０は、その外出時などにも手軽に携帯でき、紙めくりの際には指をなめたりすることがないので衛生的に使用できる。
【実施例２】
【００２１】
図３は実施例２の紙めくり補助具の斜視図であり、図４はその一部拡大正面断面図である。
図示するように、実施例２の紙めくり補助具２０は、伸縮性のある布ゴム製などを素材としたバンド装着部２１と、バンド装着部の中央にその椀状下部が取り付けられるポリエチレン樹脂製のケース部２２と、ケース部の表面側に露出配置される保湿部２３と、ケース部２２の表面側に開閉自在に取り付けられるプラスチック製のキャップ部２４とを備え、腕時計のように使用者の腕に装着携行して使用することができる。
【００２２】
キャップ部２４の一端側はヒンジ２５を介して、その下部が椀状に形成されたケース部２２に取り付けられ、その他端側にはフック状などに形成された係止部２６が設けられる。こうして、紙めくり補助具２０の不使用時には、キャップ部２４を閉じておくことで、保湿部２３から指濡らし用成分が蒸発するのを抑止できるようにしている。
【実施例３】
【００２３】
図５は実施例２の紙めくり補助具における一部拡大正面断面図である。
実施例３の紙めくり補助具３０は、バンド装着部３１の中央にその椀状下部が取り付けられ軟質プラスチック材により弾力性を有したケース部３２と、ケース部３２の表面側に露出配置された保湿部３３とを備え、このケース部３２と保湿部３３との間にタンク部３４が設けられ、タンク部３４と保湿部３３が連通孔３５を介して連結されている。
こうして、紙めくり補助具３０の使用時にケース部を押圧したり、変形させたりすることによって、ケース部３２の弾性変形によりタンク部３４を圧縮する。これによってタンク部３４に貯留された指濡らし用成分を、連通孔３５を通して保湿部３３に押し出して供給するようになっている。
携行時などの不使用時には指濡らし用成分がタンク部３４に保持されているので、その指濡らし用成分の蒸発が抑制されて長期にわたる使用ができる。
【符号の説明】
【００２４】
１０    実施例１の紙めくり補助具
１１    バンド装着部
１２    ケース部
１３    保湿部
２０    実施例２の紙めくり補助具
２１    バンド装着部
２２    ケース部
２３    保湿部
２４    キャップ部
２５    ヒンジ
２６    係止部
３０    実施例３の紙めくり補助具
３１    バンド装着部
３２    ケース部
３３    保湿部
３４    タンク部
３５    連通孔
【図１】
0003164943.tif 000003
【図２】
0003164943.tif 000004
【図３】
0003164943.tif 000005
【図４】
0003164943.tif 000006
【図５】
0003164943.tif 000007